(57)【要約】【課題】    本発明は、３箇所の見出し部を有し、見出しに関連する情報の印刷領域が大きく、顧客に対する宣伝効果が優れ訴求効果の大きい、同封・同梱物として、目の引くパンフレットとして活用するのに適した見出し部付き冊子及びその製造方法を提供することである。【解決手段】    表紙となる第１紙片と、第１紙片巾より見出し部巾だけ大きい巾の２枚の第２紙片と、第１紙片巾より見出し部巾の２倍だけ大きい巾の１枚の第３紙片と、第１紙片巾より見出し部巾の３倍だけ大きい巾の４枚の第４紙片からなる８枚の紙片が一方の側端で接着されて綴じられた構成の見出し部付き冊子である。【選択図】        図１
2005335327.tif 000002
【特許請求の範囲】
【請求項１】
表紙となる第１紙片と、第１紙片巾より見出し部巾だけ大きい巾の２枚の第２紙片と、第１紙片巾より見出し部巾の２倍だけ大きい巾の１枚の第３紙片と、第１紙片巾より見出し部巾の３倍だけ大きい巾の４枚の第４紙片からなる８枚の紙片が一方の側端で接着されて綴じられた構成からなることを特徴とする見出し部付き冊子。
【請求項２】
請求項１記載の見出し部付き冊子を製造する方法であって、輪転印刷機を使用して、第１紙片巾×４＋見出し部巾×９＋化粧断巾×２の巾を有する連続用紙に所定の印刷を行う工程と、連続用紙の一方の端縁から見出し部巾×２だけ内側の位置における連続用紙の流れ方向の所定位置に断続的に切目を形成する工程と、切目が形成された連続用紙の一方の端縁から第１紙片巾＋見出し部巾×２だけ内側の位置における連続用紙の一方の面に流れ方向に連続した接着剤層を形成するとともに一方の端縁から第１紙片巾×３＋見出し部巾×８＋化粧断巾×２だけ内側の位置における連続用紙の他方の面に流れ方向の所定位置に断続的に接着剤層を形成する工程と、接着剤層を形成した連続用紙を一方の端縁から第１紙片巾×２＋見出し部巾×５＋化粧断巾だけ内側の位置にて連続した接着剤層を内側にして折り曲げて接着する工程と、折り曲げて接着された連続用紙を流れに直角方向の所定位置にてカットする工程と、カットされた連続用紙の流れ方向の中央部にて流れに直角方向に断続的に形成された接着剤層を内側にして折り曲げる工程と、折り曲げられた連続用紙の一方の端縁から第１紙片巾＋見出し部巾×２だけ内側の位置にて流れに平行方向に切目が露出するように折り曲げる工程と、折り曲げられた連続用紙の最終折目を除く３方を化粧断ちする工程からなることを特徴とする見出し部付き冊子の製造方法。
【発明の詳細な説明】
【技術分野】
【０００１】
本発明は、同封・同梱物、目の引くパンフレット等として活用するのに適した、３箇所の見出し部を備えた８枚の紙片からなる見出し部付き冊子及びその製造方法に関する。
【背景技術】
【０００２】
従来、見出しが設けられた印刷物としては、表紙と該表紙間に挟み込まれた綴じ込み物からなり、綴じ込み物が、連続した１枚の平面体を山折り・谷折りに連続して折り曲げると共に、折り曲げ長さが一定した複数の寸法幅にされ、該寸法幅の差により階段状の段差が形成され、階段状の段差に見出しが設けられている構成の薄物印刷物（例えば、特許文献１参照）、ないしは複数の切取線を設けることにより原紙を複数枚の紙片に分割し、かつこれ等の複数枚の紙片を夫々所定の巾でずらしながら順に積層し、さらにこれらの紙片を所定位置に設けた折目線に沿って相互に貼着して側面に複数個の段差状見出し部を有する小冊子を構成した折丁（例えば、特許文献２参照）が知られている。
【特許文献１】特開平７−２５７０６８号公報          実開昭６４−５５０６３号公報
【０００３】
しかしながら、前者の階段状の段差に見出しが設けられた薄物印刷物は、連続した１枚の平面体を山折り・谷折りに連続して折り曲げて作製されるものであるため、工程が煩雑となり効率よく製造するのが困難であるとともに、見出しに関連する情報の印刷できる領域が連続した１枚の平面体の一方の面のみに限定されてしまうため、多量の情報を印刷できないという欠点を有している。また、後者の折丁は、複数の切取線を設けて原紙を複数枚の紙片に分割し、複数枚の紙片を夫々所定の巾でずらしながら順に積層し、紙片を所定位置に設けた折目線に沿って貼着して作製されるものであり、製造工程が極めて煩雑であり自動化するのが困難であるという欠点を有している。
【発明の開示】
【発明が解決しようとする課題】
【０００４】
本発明は、３箇所の見出し部を有し、見出しに関連する情報の印刷領域を大きくすることができるので、顧客に対する宣伝効果が優れ訴求効果の大きい、同封・同梱物として、目の引くパンフレットとして活用するのに適した見出し部付き冊子及びその冊子を効率的に製造できる製造方法を提供することである。
【課題を解決するための手段】
【０００５】
表紙となる第１紙片と、第１紙片巾より見出し部巾だけ大きい巾の２枚の第２紙片と、第１紙片巾より見出し部巾の２倍だけ大きい巾の１枚の第３紙片と、第１紙片巾より見出し部巾の３倍だけ大きい巾の４枚の第４紙片からなる８枚の紙片が一方の側端で接着されて綴じられた構成の見出し部付き冊子である。
【０００６】
上記の見出し部付き冊子を製造する方法であって、輪転印刷機を使用して、第１紙片巾×４＋見出し部巾×９＋化粧断巾×２の巾を有する連続用紙に所定の印刷を行う工程と、連続用紙の一方の端縁から見出し部巾×２だけ内側の位置における連続用紙の流れ方向の所定位置に断続的に切目を形成する工程と、切目が形成された連続用紙の一方の端縁から第１紙片巾＋見出し部巾×２だけ内側の位置における連続用紙の一方の面に流れ方向に連続した接着剤層を形成するとともに一方の端縁から第１紙片巾×３＋見出し部巾×８＋化粧断巾×２だけ内側の位置における連続用紙の他方の面に流れ方向の所定位置に断続的に接着剤層を形成する工程と、接着剤層を形成した連続用紙を一方の端縁から第１紙片巾×２＋見出し部巾×５＋化粧断巾だけ内側の位置にて連続した接着剤層を内側にして折り曲げて接着する工程と、折り曲げて接着された連続用紙を流れに直角方向の所定位置にてカットする工程と、カットされた連続用紙の流れ方向の中央部にて流れに直角方向に断続的に形成された接着剤層を内側にして折り曲げる工程と、折り曲げられた連続用紙の一方の端縁から第１紙片巾＋見出し部巾×２だけ内側の位置にて流れに平行方向に切目が露出するように折り曲げる工程と、折り曲げられた連続用紙の最終折目を除く３方を化粧断ちする工程からなることを特徴とする見出し部付き冊子の製造方法である。
【発明の効果】
【０００７】
本発明の見出し部付き冊子は、３か所の見出し部を備え、表紙となる第１紙片を含めて８枚の紙片からなる冊子であるので、見出し部に対応する情報の印刷できる面積を大きくとることができるので、顧客に対する情報量を多くすることができ、顧客に対する宣伝効果が優れ、訴求効果の大きい、同封・同梱物、目の引くパンフレットとして活用するのに適したものである。
【０００８】
本発明の製造方法とすることにより、３か所の見出し部を備え、表紙となる第１紙片を含めて８枚の紙片からなる見出し部付き冊子を、輪転印刷機を使用して連続用紙に印刷する工程とインラインの加工により効率よく低価格で製造することができる。
【発明を実施するための最良の形態】
【０００９】
以下、図面を引用して本発明の実施の形態を説明する。
図１は本発明の見出し部付き冊子の実施形態の折り畳んだ状態の平面図、図２は図１のＩ−Ｉ線断面図、図３は実施形態の第２紙片を見開いた状態の斜視図、図４は実施形態の見出し部付き冊子の製造工程における連続用紙に印刷し切目を形成し接着剤層を形成した状態の平面図、図５は図４に示す状態から連続用紙を流れ方向に折り曲げて接着部層にて接着した状態の平面図、図６はカット線にてカットして中央の横折目線にて折り曲げた平面図、図７は縦折目線にて折り曲げた平面図であって、１は見出し付き冊子、11は第１紙片、12は第２紙片、13は第３紙片、14は第４紙片、２は綴じ部、31，32，33は見出し部、４は切目、５，5'は接着剤層、61，62，63は縦折目線、７は横折目線、８はカット線、９は化粧断線、Ｄは第１紙片部巾、ｄは見出し部巾、Ｌは化粧断巾、Ａは連続用紙をそれぞれ表す。
【００１０】
本発明の実施形態の見出し部付き冊子１は、折り畳んだ状態の平面図が図１に、横方向の断面図が図２にそれぞれ示されているとおりである。折り畳んだ状態は、図１に示すように、巾Ｄを有する表紙となる第１紙片11と、第１紙片巾Ｄより見出し部巾ｄだけ大きい巾Ｄ＋ｄを有する２枚の第２紙片12と、第１紙片巾Ｄより見出し部巾ｄの２倍だけ大きい巾Ｄ＋２ｄを有する１枚の第３紙片13と、第１紙片巾Ｄより見出し部巾ｄの３倍だけ大きい巾Ｄ＋３ｄを有する４枚の第４紙片14とが一方の側端を揃えて綴じ部２にて接着して綴じられた８枚の紙片からなる冊子であり、綴じ部２と反対側の側端部において、第１紙片とその下面に重なる第２紙片12間に巾ｄの見出し部31が形成され、第２紙片12とその下面に重なる第３紙片13間に巾ｄの見出し部32が形成され、第３紙片13とその下面に重なる第４紙片14間に巾ｄの見出し部33が形成された構成であり、見出し部31,32,33には月日表示、階別表示、食品, 衣料等の種別表示がなされるものである。
【００１１】
横方向の断面図は、図２に示すように、巾Ｄを有する表紙となる第１紙片11と、巾Ｄ＋ｄを有する２枚の第２紙片12と、Ｄ＋２ｄを有する１枚の第３紙片13と、巾Ｄ＋３ｄを有する４枚の第４紙片14とが一方の側端で揃えて綴じ部２にて接着剤層にて接着して綴じられた８枚の紙片からなり、綴じ部２と反対側の側端部に、第１紙片とその下面に重なる第２紙片12間と第２紙片12とその下面に重なる第３紙片13間と第３紙片13とその下面に重なる第４紙片14間にそれぞれ巾ｄを有する見出し部31と見出し部32と見出し部33が形成されている。
【００１２】
実施形態の見出し部付き冊子１の第２紙片12を見開いた状態の斜視図は、図３に示すように、見開いた状態で印刷された内容を全て見ることができるので、テーマ別になっている情報がきわめて見やすくなる。また、実施形態の見出し部付き冊子１は表紙となる１枚の第１紙片11と２枚の第２紙片12と１枚の第３紙片13と４枚の第４紙片14からなっているので、見出しに関連した情報が多く頁数が必要なものは、枚数の多い紙片（第２紙片もしくは第４紙片）に印刷し、見出しに関連した情報が少なく頁数が必要でないものは、枚数の少ない紙片（第１紙片もしくは第３紙片）に印刷することができ、見出しに関連した情報量により振り分けて印刷した冊子とすることができる。
【００１３】
本発明の見出し部付き冊子における見出し部には、月日表示、階別表示、食品・衣料など種別表示等が印刷され、見出し部にて見開いた各紙片には見出し表示に関連した情報が印刷されている。この見出し部付き冊子を受け取った顧客は、見出し部の表示を見ることにより自分の見たい頁を簡単に見つけることができ、見出し部にて紙片を見開くことにより、見出しに関連した詳細な情報を簡単に見ることができるので、同封・同梱物、目の引くパンフレット等として活用するのに適した、顧客に対する訴求効果及び宣伝効果の優れたきわめて見やすい冊子とすることができる。
【００１４】
実施形態の見出し部付き冊子の製造方法の概略は下記の通りである。オフセット等の輪転印刷機を使用して、第１紙片巾Ｄ×４＋見出し部巾ｄ×９＋化粧断巾Ｌ×２の紙巾を有する連続用紙Ａに所定の印刷を行い、連続用紙の一方の端縁から見出し部巾×２だけ内側の位置における連続用紙の流れ方向の所定位置に断続的に切目４を形成し、印刷され切目が形成された連続用紙Ａの一方の端縁から第１紙片巾Ｄ＋見出し部巾ｄ×２だけ内側の位置における連続用紙Ａの一方の面に流れ方向に連続した接着剤層５を形成するとともに連続用紙Ａの一方の端縁から第１紙片巾Ｄ×３＋見出し部巾ｄ×８＋化粧断巾Ｌ×２の位置における連続用紙Ａの他方の面の所定位置に流れ方向に断続的に接着剤層5'を形成して、図４に示す状態とする。
【００１５】
次いで、接着剤層5,5'を形成した連続用紙Ａを一方の端縁から第１紙片巾Ｄ×２＋見出し部巾ｄ×５＋化粧断巾Ｌの位置の折目線62にて連続用紙Ａを流れに平行方向に接着剤層５が内面にくるように折り曲げて図５に示す状態とする。この状態で、流れに平行方向に折り曲げられた連続用紙Ａは接着剤層５にて接着され、連続用紙Ａの他方の面に流れ方向に断続的に形成された接着剤層5'が折り曲げられた連続用紙Ａの表面に出る。
【００１６】
図５に示す状態から、連続用紙Ａを流れに直角方向のカット線８にてカットした後に、折目線７にてカットされた連続用紙Ａを流れに直角方向に接着剤層5'が内面にくるように折り曲げて図６に示す状態とする。この状態で縦方向の折目線61の箇所が接着剤層により接着されて綴じ部となっている。最後に、縦方向の折目線61にて山折りして図７に示す状態としてから、綴じ部となっている折目線61の辺を除く３辺を化粧断線９に沿って化粧断ちすることにより、実施形態の見出し部付き冊子が得られる。
【００１７】
本発明の製造方法を採用して、オフセット等の輪転印刷機を使用して、所定巾を有する連続用紙に所定の印刷を行い、所定位置に切目を形成し、所定位置に接着剤層を形成した後に、流れ方向に折り曲げ、流れに直角方向にカットし、所定の位置にて折り曲げた後に化粧断ちする工程を経ることにより、輪転印刷機による印刷とインラインで接着、折り曲げ、断裁等の加工を行うことにより効率よく大量生産することが可能となるので、低価格で見出し部付き冊子を製造することができる。
【図面の簡単な説明】
【００１８】
【図１】本発明の見出し部付き冊子の実施形態の折り畳んだ状態の平面図。
【図２】図１のＩ−Ｉ線断面図。
【図３】実施形態の第１紙片を見開いた状態の斜視図。
【図４】実施形態の見出し部付き冊子の製造工程における連続用紙に印刷し切目を形成し接着剤層を形成した状態の平面図。
【図５】図４に示す状態から連続用紙を流れ方向に折り曲げて接着剤層にて接着した状態の平面図。
【図６】カット線にてカットして中央の横折目線にて折り曲げた平面図。
【図７】縦折目線にて折り曲げた平面図。
【符号の説明】
【００１９】
１  見出し付き冊子
11  第１紙片（表紙）
12  第２紙片
13  第３紙片
14  第４紙片
２  綴じ部
31，32，33  見出し部
４  切目
５，5'  接着剤層
61，62，63  縦折目線
７  横折目線
８  カット線
９  化粧断線
Ｄ  第１紙片巾
ｄ  見出し部巾
Ｌ  化粧断巾
Ａ  連続用紙
【図１】
2005335327.tif 000003
【図２】
2005335327.tif 000004
【図３】
2005335327.tif 000005
【図４】
2005335327.tif 000006
【図５】
2005335327.tif 000007
【図６】
2005335327.tif 000008
【図７】
2005335327.tif 000009